【事件の表示】
　平成１１年特許願第３４１５３８号「遊技機」拒絶査定不服審判事件〔平成１２年　５月　９日出願公開、特開２０００−１２６３７８〕について、次のとおり審決する。
【結　論】
　本件審判の請求は、成り立たない。
【理　由】
１．手続の経緯
　本願は、平成６年９月８日に出願した特願平６−２４２２５６号の一部を分割して、平成１１年１２月１日に新たな特許出願としたものであって、平成１６年６月２８日付けの最後の拒絶理由に対して、同年９月３日付けで手続補正がなされ、同年１２月７日付けで、同年９月３日付けの手続補正を却下するとともに拒絶査定がなされ、これに対し、平成１７年１月１２日に拒絶査定に対する審判請求がなされるとともに、同日付けで手続補正がなされたものである。
　　　　　　　　　　　　　　　　　　　　　　　　　　　　　　　　　
２．平成１７年１月１２日付けの手続補正（以下、「本件補正」という。）について
　　　　　　　　　　　　　　　　　　　　　　　　　　　　　　　　　
［補正却下の決定の結論］　
　平成１７年１月１２日付けの手続補正を却下する。
　　　　　　　　　　　　　　　　　　　　　　　　　　　　　　　　　
［理由］
　本件補正により、特許請求の範囲の請求項１は、
「予め定められた種々の図柄を変動表示する複数の図柄表示部から成り、図柄の特定の状態を大当たりとする図柄表示装置と、
　大当たりの発生確率として高確率状態と低確率状態とを備え、高確
立
立
　前記確率設定手段により設定された確率変動モードの高確率又は低確率に基づき、前記高確率乱数又は低確率乱数に基づく抽選により前記図柄表示装置の大当たりを発生させ、遊技者に利益ある作動を提供するようにした制御手段と、
　所定の遊技状態の発生を検出する検出手段とを備え、
　前記検出手段による所定の遊技状態の発生の検出により、前記確率設定手段により設定される確率変動モードが再選択され設定され、
　前記低位の確率変動モードの低確率状態の大当たりの発生確率を、前記上位の確率変動モードの低確率状態の大当たり発生確率よりも高めに設定したことを特徴とする遊技機。」と補正された。
（上記記載中、下線を付加した「高確
立
立
率
率
　　　　　　　　　　　　　　　　　　　　　　　　　　　　　　　　　
　上記補正は、請求項１に記載した発明を特定するために必要な事項である「大当たりの発生」について、「高確率状態で大当たりを発生させるための高確率乱数と低確率状態で大当たりを発生させるための低確率乱数とを保持し」と限定するとともに、「確率設定手段」について、「確率変動モードを切り換えるためのモード切替乱数に基づく抽選により（設定する確率設定手段）」と限定し、「大当たりを発生させ」について、「前記高確率乱数又は低確率乱数に基づく抽選により（大当たりを発生させ）」と限定するものであって、平成１８年改正前の特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
引用刊行物
　１．遊技日本　１９９３年８月号　株式会社近畿出版社　
　　　平成５年８月２５日発行　第３３巻第８号　第６３頁
　２．特開平３−３７０８６号公報　　　　　　　　　　　　　　
　　　　　　　　　　　　　　　　　　　　　　　　　　　　　　　　　
　原査定の拒絶の理由に引用された、本願の出願前に頒布された刊行物である、上記の各刊行物には、それぞれ次の発明が記載されている。
　　　　　　　　　　　　　　　　　　　　　　　　　　　　　　　　　
引用刊行物１（遊技日本１９９３年８月号　株式会社近畿出版社
　　　　　　　平成５年８月２５日発行　第３３巻第８号　第６３頁）
　引用刊行物１には、パチンコ機に関し、次の記載がある。
1-a 第１−２行目にパチンコ機の機種名として、
「京楽・一種　ＣＲ桃太郎」と記載されている。
1-b 中段に、確率の設定を示す表として、 
「設定１、１／２５０（通常時）、１／７５（変動時） 
　設定２、１／２７３（通常時）、１／５０（変動時） 
　設定３、１／２９６（通常時）、１／５０（変動時）」と記載されている。
1-c 下段に、 
「大当たり中、昔話の桃太郎のストーリーが表示される、楽しい第一種。大当たり図柄は１〜９及びサル、キジ、イヌ、桃太郎、オニの３つゾロ目で１４通り。このうち３、５、７、桃太郎で当たると、次の大当たりまでメイン、電動チューリップ両方のデジタルが高確率となる。電チューはヘソ上ＧＯ通過で上方のミニデジタルが回転し、７で停止すると開放となる。変動中は頻繁に開き、持ち玉が殆ど減らない上、メイン図柄も時間短縮となり、どんどん消化となるため、次回の大当たりが早い。」と記載されている。
1-d 下方には当該パチンコ機の写真が掲載されており、それによれば、「一種」のパチンコ機に特有の変動入賞装置が見てとれる。  
　　　　　　　　　　　　　　　　　　　　　　　　　　　　　　　　　
　以上の記載によれば、引用刊行物１（遊技日本１９９３年８月号　株式会社近畿出版社　平成５年８月２５日発行　第３３巻第８号　第６３頁）には、以下の発明（以下、「引用発明１」という。）が記載されていると認められる。 
　「３つの図柄を表示し、１〜９及びサル、キジ、イヌ、桃太郎、オニの大当たり図柄が３つゾロ目で表示されたときを大当たりとするメインデジタルと、上記大当たり図柄のうち、３、５、７、桃太郎で当たると、次の大当たりまでメイン、電動チューリップ両方のデジタルが高確率となり、前記大当たりを発生させる通常時と変動時とからなる確率の３つの設定値１乃至３を備え、
　設定１では　１／２５０（通常時）、１／７５（変動時）、 
　設定２では　１／２７３（通常時）、１／５０（変動時）、 
　設定３では　１／２９６（通常時）、１／５０（変動時）　
の確率が、それぞれ設定される第一種パチンコ機。」（以下、「引用発明」という。） 
                                                                  
引用刊行物２（特開平３−３７０８６号公報）
　引用刊行物２には、パチンコ機に関し、次の記載がある。
2-a「遊技部内に弾発されて遊技に供された球を検出する遊技球検出手段と、該遊技球検出手段が予め設定した所定数の球を検出したことを条件として複数種類の識別記号を変換表示可能な第１可変表示器と、球が始動口に入ることを条件として複数種類の識別記号を変換表示可能であって、第１可変表示器の停止表示態様により選択された賞態様成立確率モードの範囲内で賞態様を成立可能な第２可変表示器と、該第２可変表示器が賞態様を形成したことを条件として遊技者にとって不利な第１状態から遊技者にとって有利な第２状態に変換する変動入賞装置と、第１可変表示器により選択した第２可変表示器の賞態様成立確率モードを可視表示する確率モード表示器とを備えたことを特徴とするパチンコ機。」（特許請求の範囲）
2-b「遊技者が・・・球を１個宛遊技部11内に弾発すると、・・・この球が始動口19に入ると始動スイッチ18が制御装置58に信号を送る。制御装置58は、・・・第２可変表示器15を作動して別遊技を開始し、遊技者が識別できない速さで３つの数字を可変表示する。」（第３頁右下欄第１１行−第４頁左上欄第１行） 
2-c「そして、遊技者がストップスイッチ7を操作するか又は制御装置58内のタイマに予め設定した時間が満了して停止信号が発生すると、確率設定値により乱数テーブル値を読み込んで、これにもとづいて第２可変表示器15の可変表示動作を停止して３つの数字を連続的に表示する。この停止したときの表示が予め設定してある賞態様、例えば「777」であるか否かを制御装置58の判定手段が判定し、賞態様が成立したと判定した場合（大当りの場合）には制御装置58が特別遊技を開始し、・・・」（第４頁左上欄第４−１４行）
2-d「別遊技において賞態様が成立して特別遊技の権利が発生すると、制御装置58の制御の下で特別遊技が開始される。本実施例における特別遊技の実施例は、・・・変動入賞装置17の可動部材39,39が球を受け入れない第１状態から球を受け入れ易い第２状態に規定時間（例えば29秒間）変換することを１サイクルとし、・・・」(第４頁右上欄第４−１１行) 
2-e「別遊技において賞態様が成立する確率は、第１賞態様成立確率モードから第６賞態様成立確率モードとして第１可変表示器14の停止態様により予め選択され、第１乃至第６確率モード表示器20a,20b,…20fの点灯により可視表示される。本実施例では、第１賞態様成立確率モードの場合には第２可変表示器15の確率は1/120、第２賞態様成立確率モードの場合には1/150、第３賞態様成立確率モードの場合には1/180、第４賞態様成立確率モードの場合には1/200、第５賞態様成立確率モードの場合には1/220、第６賞態様成立確率モードの場合には…1/250の確率で賞態様が成立するようにコンピュータプログラムが構成されている。そして、第１可変表示器14は、遊技に供した球の数が予め設定した数量（例えば100個）に達することを条件として作動し、賞態様成立モードを選択する。」（第４頁左下欄第１３行−右下欄第１０行 ） 
2-f「本実施例では、第１可変表示器14の停止態様が「777」であれば第１賞態様成立確率モードを、「333」「555」であれば第２賞態様成立確率モードを、「000」「111」「222」「444」「666」「888」「999」であれば第３賞態様成立確率モード、いずれか２つの表示器が「7」を表示すれば第４賞態様成立確率モードを、左側の表示器と中央の表示器が同じ数字を表示すれば第５賞態様成立確率モードを、上記以外の組合せの場合は第６賞態様成立確率モードを選択するようにコンピュータプログラムを構成してある。」(第５頁右上欄第２−１３行)
　　　　　　　　　　　　　　　　　　　　　　　　　　　　　　　　　
　以上の記載によれば、引用刊行物２（特開平３−３７０８６号公報）には以下の発明（以下、「引用発明２」という。）が記載されていると認められる。
　「遊技部内に弾発されて遊技に供された球を検出する遊技球検出手段と、該遊技球検出手段が予め設定した所定数の球を検出したことを条件として複数種類の識別記号を変換表示可能な第１可変表示器14と、球が始動口に入ることを条件として複数種類の識別記号を変換表示可能であって、第１可変表示器14の停止表示態様により選択された賞態様成立確率モードの範囲内で賞態様を成立可能な第２可変表示器15と、該第２可変表示器15が賞態様を形成したことを条件として遊技者にとって不利な第１状態から遊技者にとって有利な第２状態に変換する変動入賞装置17と、第１可変表示器14により選択した第２可変表示器15の賞態様成立確率モードを可視表示する確率モード表示器とを備えたパチンコ機であって、第２可変表示器15における別遊技において賞態様が成立する確率は、第１賞態様成立確率モードから第６賞態様成立確率モードとして第１可変表示器14の停止態様により予め選択され、第１賞態様成立確率モードの場合には第２可変表示器15の確率は1/120（第１可変表示器14の停止態様が「777」）、第２賞態様成立確率モードの場合には1/150（第１可変表示器14の停止態様が「333」「555」）、第３賞態様成立確率モードの場合には1/180（第１可変表示器14の停止態様が「000」「111」「222」「444」「666」「888」「999」）、第４賞態様成立確率モードの場合には1/200（第１可変表示器14のいずれか２つの表示器が「7」を表示）、第５賞態様成立確率モードの場合には1/220（第１可変表示器14の左側の表示器と中央の表示器が同じ数字を表示）、第６賞態様成立確率モードの場合には1/250（第１可変表示器14の停止態様が上記以外の組合せの場合）の確率で賞態様が成立するように構成されている、パチンコ機。」 
　　　　　　　　　　　　　　　　　　　　　　　　　　　　　　　　　
（２）対比 　 　 
　本願補正発明と引用発明１とを対比すると、引用発明１について以下のことがいえる。
　　　　　　　　　　　　　　　　　　　　　　　　　　　　　　　　　
(i) 引用発明１は、「３つの図柄を表示し、１〜９及びサル、キジ、イヌ、桃太郎、オニの大当たり図柄が３つゾロ目で表示されたときを大当たりとするメインデジタル」を備えており、同引用発明１における上記「１〜９及びサル、キジ、イヌ、桃太郎、オニ（の図柄）」は本願補正発明における「予め定められた種々の図柄」に相当しており、同様に、「大当たり図柄が３つゾロ目で表示されたときを大当たりとする」は「図柄の特定の状態を大当たりとする」に、「メインデジタル」はその機能に照らすと「図柄表示装置」に、それぞれ相当しているといえる。
　また、引用発明１における「メインデジタル」（「図柄表示装置」）は、「３つの図柄を表示」するものであり、同引用発明１は、実質上、本願補正発明における「図柄を変動表示する複数の図柄表示部」を備えているといえる。
　そうすると、引用発明１は、本願補正発明を特定する「予め定められた種々の図柄を変動表示する複数の図柄表示部から成り、図柄の特定の状態を大当たりとする図柄表示装置」の事項に相当する構成を備えている。
　　　　　　　　　　　　　　　　　　　　　　　　　　　　　　　　　
(ii) 引用発明１は、「大当り図柄のうち、３、５、７、桃太郎で当たると、次の大当たりまでメイン、電動チューリップ両方のデジタルが高確率とな」るものであり、「大当たりを発生させる」確率として、「通常時と変動時とからなる確率」を備えている。
　そして、前記「通常時」の「確率」は、その技術的意義に照らすと、本願補正発明における「大当たりの発生確率」として「備え」る「低確率状態」に相当し、「変動時」の「確率」は同様に「高確率状態」に相当するものである。
　そうすると、引用発明１は、本願補正発明を特定する「大当たりの発生確率として高確率状態と低確率状態とを備え」の事項に相当する構成を備えている。
　　　　　　　　　　　　　　　　　　　　　　　　　　　　　　　　　
(iii) 引用発明１は、「大当たりを発生させる通常時と変動時とからなる確率の３つの設定値１乃至３を備え、
　設定１では　１／２５０（通常時）、１／７５（変動時）、 
　設定２では　１／２７３（通常時）、１／５０（変動時）、 
　設定３では　１／２９６（通常時）、１／５０（変動時）　
の確率が、それぞれ設定される」ものである。
　引用発明１における各「設定値」は、それぞれが「通常時」の「確率」（上記(ii)に記載したように、本願補正発明における「低確率状態」に相当する）と「変動時」の「確率」（同じく「高確率状態」に相当する）とを備えており、その技術的意義に照らすと、本願補正発明における「確率変動モード」に相当する概念であるということができる。
　さらに引用発明１において、例えば「変動時」の「確率」（「高確率状態」）に着目すると、「設定１」では「１／７５」に、「設定３」では「１／５０」に、それぞれ設定されており、「設定１」が「設定３」よりも低く設定されていることから、「設定１」は本願補正発明における「低位の確率変動モード」に相当し、同じく「設定３」は「上位の確率変動モード」に相当するといえる。　　　　　　　　　　　　　　　　　　　　　　　　　
　そうすると、引用発明１は、本願補正発明を特定する「高確率状態と低確率状態とからなる確率変動モードとして上位の確率変動モードと低位の確率変動モード（該低位の確率変動モードで高確率状態に設定される大当たりの発生確率が、該上位の確率変動モードで高確率状態に設定される大当たりの発生確率よりも低い）とを保持し」の事項に相当する構成を備えているといえる。
　　　　　　　　　　　　　　　　　　　　　　　　　　　　　　　　　
(iv) 上記(iii)に記載したように、引用発明１は、「設定３」（「上位の確率変動モード」）と「設定１」（「低位の確率変動モード」）とを備え、その一方を選択し設定することが可能とされており、同引用発明１は、確率を設定するための確率設定手段を実質的に備えているということができる。
　さらに引用発明１は、各「設定値」（「確率変動モード」）における「変動時」又は「通常時」に基づき、「メインデジタル」（「図柄表示装置」）の大当たりを発生させ、変動入賞装置（引用刊行物１の記載事項1-d）の開閉を制御することで、遊技者に利益ある作動を提供する制御手段を備えているといえる。　　
　以上より、引用発明１は、「設定３」（「上位の確率変動モード」）と「設定１」（「低位の確率変動モード」）との一方を選択し設定する確率設定手段と、前記確率設定手段により設定された「設定値」（「確率変動モード」）の「変動時」（「高確率」）又は「通常時」（「低確率」）に基づき、「メインデジタル」（「図柄表示装置」）の大当たりを発生させ、遊技者に利益ある作動を提供するようにした制御手段を備えているということができる。
　一方、本願補正発明は、「前記確率変動モードを切り換えるためのモード切替乱数に基づく抽選により当該上位の当該確率変動モードと当該低位の確率変動モードとの一方を選択し設定する確率設定手段と、前記確率設定手段により設定された確率変動モードの高確率又は低確率に基づき、前記高確率乱数又は低確率乱数に基づく抽選により前記図柄表示装置の大当たりを発生させ、遊技者に利益ある作動を提供するようにした制御手段」とを備えており、本願補正発明が備える上記の発明特定事項を、「当該上位の当該確率変動モードと当該低位の確率変動モードとの一方を選択し設定する確率設定手段と、前記確率設定手段により設定された確率変動モードの高確率又は低確率に基づき、前記図柄表示装置の大当たりを発生させ、遊技者に利益ある作動を提供するようにした制御手段」とを備えていると包括的に表現することができる。
　そうすると、本願補正発明と引用発明１とは「当該上位の当該確率変動モードと当該低位の確率変動モードとの一方を選択し設定する確率設定手段と、前記確率設定手段により設定された確率変動モードの高確率又は低確率に基づき、前記図柄表示装置の大当たりを発生させ、遊技者に利益ある作動を提供するようにした制御手段」とを備えている点で共通しているといえる。　　　　　　　　　　　　　　　　　　　　　　　　　　　　　　　　　
(v) 上記したように、引用発明１に係る「パチンコ機」（「遊技機」）における「確率」の「設定値」は、
「設定１では　１／２５０（通常時）、１／７５（変動時）、 
　設定２では　１／２７３（通常時）、１／５０（変動時）、 
　設定３では　１／２９６（通常時）、１／５０（変動時）」とされており「通常時」の「確率」（本願補正発明における「低確率状態」に相当する）に着目すると、「設定１」（上記(iii)に記載したように、本願補正発明における「低位の確率変動モード」に相当する）では「１／２５０」に、「設定３」（同じく、「上位の確率変動モード」に相当する）では「１／２９６」に、それぞれ設定されており、「設定１」（「低位の確率変動モード」）が「設定３」（「上位の確率変動モード」）よりも高く設定されている。
　そうすると、引用発明１は、本願補正発明を特定する「前記低位の確率変動モードの低確率状態の大当たりの発生確率を、前記上位の確率変動モードの低確率状態の大当たり発生確率よりも高めに設定した遊技機」の事項に相当する構成を備えているといえる。
　　　　　　　　　　　　　　　　　　　　　　　　　　　　　　　　　
　以上より、本願補正発明と引用発明１とは以下の点で一致し、また、相違していると認められる。
一致点；
　予め定められた種々の図柄を変動表示する複数の図柄表示部から成り、図柄の特定の状態を大当たりとする図柄表示装置と、大当たりの発生確率として高確率状態と低確率状態とを備え、高確率状態と低確率状態とからなる確率変動モードとして上位の確率変動モードと低位の確率変動モード（該低位の確率変動モードで高確率状態に設定される大当たりの発生確率が、該上位の確率変動モードで高確率状態に設定される大当たりの発生確率よりも低い）とを保持し、当該上位の当該確率変動モードと当該低位の確率変動モードとの一方を選択し設定する確率設定手段と、前記確率設定手段により設定された確率変動モードの高確率又は低確率に基づき、前記図柄表示装置の大当たりを発生させ、遊技者に利益ある作動を提供するようにした制御手段と、前記低位の確率変動モードの低確率状態の大当たりの発生確率を、前記上位の確率変動モードの低確率状態の大当たり発生確率よりも高めに設定した遊技機、である点。
　　　　　　　　　　　　　　　　　　　　　　　　　　　　　　　　　
相違点；                             　　　　　　　　　　　　　　　
(A) 大当たりを発生させるのが、本願補正発明では、高確率状態で大当たりを発生させるための高確率乱数と低確率状態で大当たりを発生させるための低確率乱数とを保持し、前記高確率乱数又は低確率乱数に基づく抽選により発生させるものであるのに対して、引用発明１では、変動時に大当たりを発生させるための乱数と通常時に大当たりを発生させるための乱数とを保持しているか明らかでなく、変動時の乱数又は通常時の乱数に基づく抽選により発生させるものであるのか明らかでない点。
　　　　　　　　　　　　　　　　　　　　　　　　　　　　　　　　　
(B) 確率設定手段による確率の設定が、本願補正発明では、確率変動モードを切り換えるためのモード切替乱数に基づく抽選によるものであるのに対して、引用発明１では、設定値を切り換えるための乱数に基づく抽選によるものか、明らかでない点。　　　　　　　　　　　
　　　　　　　　　　　　　　　　　　　　　　　　　　　　　　　　　
(C) 確率設定手段により設定される確率変動モードが、本願補正発明では、所定の遊技状態の発生を検出する検出手段を備え、前記検出手段による所定の遊技状態の発生の検出により再選択され設定されるものであるのに対して、引用発明１では、所定の遊技状態の発生を検出する検出手段を備えておらず、検出手段による所定の遊技状態の発生の検出により再選択され設定されるものではない点。
　　　　　　　　　　　　　　　　　　　　　　　　　　　　　　　　　
（３）判断
　上記の相違点について検討する。
　相違点(A)について
　大当たりの発生確率として高確率状態と低確率状態とを備えた遊技機において、高確率状態で大当たりを発生させるための高確率乱数と低確率状態で大当たりを発生させるための低確率乱数とを保持し、前記高確率乱数又は低確率乱数に基づく抽選により大当たりを発生させることは周知技術（例えば、特開平６−３９１０６号公報（段落【０１８２】【０１８３】）、特開平６−２４６０３７号公報（段落【００３４】【００３５】）、特開平６−２３８０４６号公報（段落【００２１】【００３０】））であり、当該周知技術を参酌して、相違点(A)に係る構成を得ることは単なる設計事項にすぎない。
　　　　　　　　　　　　　　　　　　　　　　　　　　　　　　　　　
　相違点(B)について
　引用発明２は、「第２可変表示器15における別遊技において賞態様が成立する確率」を、「第１賞態様成立確率モードから第６賞態様成立確率モード」まで切り換え可能に構成し、乱数に基づく抽選により「選択」される「第１可変表示器14の停止態様」に基づいて、前記「賞態様成立確率モード」を「予め選択」するようにした「パチンコ機」である。
　すなわち、同引用発明２は、乱数に基づく抽選により「賞態様成立確率モード」を設定する確率設定手段を備えており、切り換え可能に構成された上記「賞態様成立確率モード」は、その技術的意義に照らすと、引用発明１における「設定値」（本願補正発明における「確率変動モード」）に相当するものであるとともに、「設定値」（「確率変動モード」）を切り換えるために使用される「乱数」は、本願補正発明における「モード切替乱数」に相当するものといえる。
　そして、引用発明１が実質的に備える確率設定手段に、引用発明２が備える確率の設定に関する上記の技術事項を適用して、乱数に基づく抽選により「設定１」（「低位の確率変動モード」）と「設定３」（「上位の確率変動モード」）との一方を選択し設定するように構成することは、当業者が容易に想到することができたものである。
　　　　　　　　　　　　　　　　　　　　　　　　　　　　　　　　　
　相違点(C)について
　「相違点(B)について」に記載したように、引用発明１が実質的に備える確率設定手段に、引用発明２が備える確率の設定に関する技術事項を適用して、乱数に基づく抽選により「設定１」（「低位の確率変動モード」）と「設定３」（「上位の確率変動モード」）との一方を選択し設定するように構成することは、当業者が容易に想到することができたものである。
　さらに、引用発明２は「遊技部内に弾発されて遊技に供された球を検出する遊技球検出手段」を備えており、「遊技球検出手段が予め設定した所定数の球を検出したことを条件」として「第１可変表示器14」を「作動」し、「賞態様成立確率モード」が「選択」され、あるいは再選択されて、設定されるものであり、前記した、「遊技球検出手段」により「予め設定した所定数の球」を「検出」することは、「所定の遊技状態の発生を検出」することにほかならない。
　そうすると、引用発明１が実質的に備える確率設定手段に、引用発明２が備える確率の設定に関する上記の技術事項を適用するに際して、所定の遊技状態の発生を検出する検出手段を設けて、前記検出手段による所定の遊技状態の発生の検出により、「設定値」（「確率変動モード」）が再選択され設定されるように構成することは、当業者が適宜になし得る設計事項にすぎない。
                                      　　　　　　　　　　　　　　
　そして、相違点(A)ないし(C)に係る発明特定事項を備えた本願補正発明の効果も、引用発明及び周知技術が本来奏する効果から当業者が予測し得る範囲内のものであって、格別顕著なものとはいえない。
　したがって、本願補正発明は、周知技術を参酌し、引用発明１及び引用発明２に基いて、当業者が容易に発明をすることができたものであるから、特許法第２９条第２項の規定により、特許出願の際独立して特許を受けることができない。
　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１７年１月１２日付けの手続補正は上記のとおり却下され、平成１６年９月３日付けの手続補正も却下されているので、本願の請求項１に係る発明（以下、「本願発明」という。）は、平成１６年４月１９日付け手続補正書の特許請求の範囲の請求項１に記載された事項により特定される、以下のとおりのものである。
「予め定められた種々の図柄を変動表示する複数の図柄表示部から成り、図柄の特定の状態を大当たりとする図柄表示装置と、
　大当たりの発生確率として高確率状態と低確率状態とを備え、高確率状態と低確率状態とからなる確率モードとして上位の確率モードと低位の確率モード（該低位の確率モードで高確率状態に設定される大当たりの発生確率が、該上位の確率モードで高確率状態に設定される大当たりの発生確率よりも低い）とを保持し、当該上位の当該確率モードと当該低位の確率モードとの一方を選択し設定する確率設定手段と、
　前記確率設定手段により設定された確率モードの高確率又は低確率に基づき、前記図柄表示装置の大当たりを発生させ、遊技者に利益ある作動を提供するようにした制御手段と、
　所定の遊技状態の発生を検出する検出手段とを備え、
　前記検出手段による所定の遊技状態の発生の検出により、前記確率設定手段により設定される確率モードが再選択され設定され、
　前記低位の確率モードの低確率状態の大当たりの発生確率を、前記上位の確率モードの低確率状態の大当たり発生確率よりも高めに設定したことを特徴とする遊技機。」
　　　　　　　　　　　　　　　　　　　　　　　　　　　　　　　　　
（１）引用発明
　原査定の拒絶の理由に引用された引用刊行物、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明から、「大当たりの発生」についての限定である、「高確率状態で大当たりを発生させるための高確率乱数と低確率状態で大当たりを発生させるための低確率乱数とを保持し」の事項を削除するとともに、「確率設定手段」についての限定である、「確率変動モードを切り換えるためのモード切替乱数に基づく抽選により（設定する確率設定手段）」の事項を削除し、「大当たりを発生させ」についての限定である、「前記高確率乱数又は低確率乱数に基づく抽選により（大当たりを発生させ）」の事項を削除して、より広義な概念で特定したものである。
　そうすると、本願発明における発明特定事項を全て含み、さらに他の事項を付加したものに相当する本願補正発明が、前記「２．（３）」に記載したとおり、周知技術を参酌し、引用発明１及び引用発明２に基いて、当業者が容易に発明をすることができたものであるから、限定事項を削除して、より広義な概念で特定される本願発明も、周知技術を参酌し、引用発明１及び引用発明２に基いて、当業者が容易に発明をすることができたものである。
　　　　　　　　　　　　　　　　　　　　　　　　　　　　　　　　　
（３）むすび
　以上のとおり、本願発明は、特許法第２９条第２項の規定により特許を受けることができない。
　よって、本願の他の請求項について論じるまでもなく、結論のとおり審決する。